(57)【特許請求の範囲】
【請求項１】
下面にセンサ剥離シートを貼着し、上面に作用面が下向きとなる発光部と受光部とが設けられた略透明素材のセンサ用シートであって、センサ剥離シートの剥離後に験体の被測定部に貼着する際に被測定部との間に介在し使用するように構成した使い捨てシートにおいて、使い捨てシートは、裏面に剥離シートを貼着した略透明素材よりなり、使い捨てシートの表面は、センサ剥離シートを剥離した後のセンサ用シート裏面が貼着自在とするように構成し、しかも、使い捨てシートの外形は、センサ用シートの外形と略合致した中央幅狭部を有した形状に構成し、更には、剥離シートの一面にはセンサ用シートの面に表示した発光部位置マーカー及び受光部位置マーカーとそれぞれに対応するように各マーカーと略合致する貼着用発光部マーカーと貼着用受光部マーカーを表示したことを特徴とする血中酸素飽和度測定用シート等の光学的生体計測用シートに対する貼着用使い捨てシート構造。
【請求項２】
剥離シートの面においてセンサ用シートの上下縁線を合わせる際に視覚的に見やすくするように横ラインを表示したことを特徴とする請求項１に記載の血中酸素飽和度測定用シート等の光学的生体計測用シートに対する貼着用使い捨てシート構造。
【請求項３】
センサ用シートの面に表示した中央折曲線に対応するように剥離シートの面において使い捨てシートの二つ折り部に対応する折り線部分には、貼着用折り線を表示したことを特徴とする請求項１又は請求項２に記載の血中酸素飽和度測定用シート等の光学的生体計測用シートに対する貼着用使い捨てシート構造。
【請求項４】
剥離シートの一面端部には、使い捨てシートをセンサ用シートに一体貼着した際にセンサ用シートの受発光部に接続したセンサコード基部が位置する箇所にコードマーカーを表示したことを特徴とする請求項１から請求項３の何れか１項に記載の血中酸素飽和度測定用シート等の光学的生体計測用シートに対する貼着用使い捨てシート構造。
【請求項５】
センサ用シートの表側に表示する受発光部位置マーカーや二つ折り位置マーカーは、センサ用シートに受発光部を固定保護するための帯状の固定シートの表面を介して表示したことを特徴とする請求項１から４の何れか１項に記載の血中酸素飽和度測定用シート等の光学的生体計測用シートに対する貼着用使い捨てシート構造。
【発明の詳細な説明】
【技術分野】
【０００１】
本発明は、血中酸素飽和度測定用シート等の光学的生体計測用シートに対する貼着用使い捨てシート構造に関する。
【背景技術】
【０００２】
従来、例えば動脈の血中酸素飽和度を測定する装置として、発光部から二種類の光を皮膚を通して動脈に照射してその光を発光部の反対側皮膚面に配した受光部で光受して、その間の光の変化により血中の酸素の飽和度を測定する、いわゆる、光学的生体計測用センサがある（例えば、特許文献１参照。）。
【０００３】
かかるセンサは、例えば心筋梗塞症に罹患した場合にこの装置を指先や耳朶に装着して心臓からの血液供給がどの程度行われているかを判定するために使用される。
【０００４】
具体的な構造としては、長方形の樹脂フィルムの剥離シートが中央幅狭型のセンサ用シート下面に剥離自在に貼着されており、センサ用シートの中央幅狭型の中央部分下面には一定の間隔を保持して発光部と受光部が素子作用面を下面として配設されている。発光部には赤色ＬＥＤと赤外光ＬＥＤが隣接して設けられ、受光部にはそれらの発光部からの光を受光する受光センサが設けられている。
【０００５】
これらの発光部と受光部における発光素子と受光素子は、素子作用面を下面として細帯状の固定テープによってセンサ用シート上面に固着されている。
【０００６】
発光部と受光部はケーブルを介して生体情報モニターに電気的に接続されている。
【０００７】
実際の使用に際しては、まず験体の被測定部のうち扁平状の一定厚みを有する部位、例えば指先や耳朶等の被測定部を光学的生体計測用センサ装着部位として選択する。
【０００８】
次いで、この部位、例えば人差指の指先にセンサ剥離シートを剥離した中央幅狭型のセンサ用シートを中央幅狭部から折曲して貼着する。
【０００９】
この状態では、指先の指背面と指腹面とに発光部と受光部がそれぞれ位置し、特に略ひょうたん型の中央幅狭部を折曲した場合に折曲ひだが発生しないようにしており、発光部と受光部は指先部を挟んで対向状態で指先に密着する。
【００１０】
このようにして発光部と受光部に通電すると、発光部からの二種類の発光が人差指の先端部組織を透過して動脈中のヘモグロビンに光学的に反応して受光部で受光した波長の解析をすることにより、血中酸素飽和度の測定が可能となる。
【先行技術文献】
【特許文献】
【００１１】
【特許文献１】特開２０００−２３７１７０号公報
【発明の概要】
【発明が解決しようとする課題】
【００１２】
光学的生体計測用センサは上記のように構成され使用されるものであるが、受発光部を有したセンサ用シートは験体の被測定部、通常は験体皮膚面に貼着するために使用後は廃棄処分され原則として異なる験体への使い回しは行わない。
しかし、光学的生体計測用センサは高価なものであるため、計測毎に廃棄処分することは経済上不利であり、そのため光学的生体計測用センサと験体との間に使いすてのシートを介在させる技術が考えられている。そして計測後はこの使い捨てシートのみを廃棄することにより光学的生体計測用センサは、験体皮膚面に直接に接触しないため何回も使用できることになり、経済的に有利となる。
ところが、間に使い捨てシートを介在させて光学的生体計測用センサを構成したセンサ用シートを被測定部位に正確に、かつ密着性良好に装着することは至難の業である。なぜならば被測定部位への貼着の良否要因は第一義的には外から見えない使い捨てシートになるため発光部と受光部の位置を使い捨てシートを介在して被測定部位位置に密着して正確に対向させるのは困難を伴うだからである。
その理由の一つとして、被測定部位を指先とした血中酸素飽和度測定センサを用いる場合、指先部で受発光部を設けたセンサ用シートを二つ折りして装着しなければならない。
【００１３】
しかし、センサ用シートの下面予め使い捨てシートを貼着しているため、外見からは見えない使い捨てシートを受発光部が指先において正確に対向するように二つ折りする場合の二つ折りの位置や二つ折りしながらの使い捨てシートの密着性を確保する作業は困難を極めるという問題があった。
【課題を解決するための手段】
【００１４】
この発明は、下面にセンサ剥離シートを貼着し、上面に作用面が下向きとなる発光部と受光部とが設けられた略透明素材のセンサ用シートであって、センサ剥離シートの剥離後に験体の被測定部に貼着する際に被測定部との間に介在し使用するように構成した使い捨てシートにおいて、使い捨てシートは、裏面に剥離シートを貼着した略透明素材よりなり、使い捨てシートの表面は、センサ剥離シートを剥離した後のセンサ用シート裏面が貼着自在とするように構成し、しかも、使い捨てシートの外形は、センサ用シートの外形と略合致した中央幅狭部を有した形状に構成し、更には、剥離シートの一面にはセンサ用シートの面に表示した発光部位置マーカー及び受光部位置マーカーとそれぞれに対応するように各マーカーと略合致する貼着用発光部マーカーと貼着用受光部マーカーを表示したことを特徴とする血中酸素飽和度測定用シート等の光学的生体計測用シートに対する貼着用使い捨てシート構造を提供せんとするものである。
【００１５】
また、この発明は、剥離シートの面においてセンサ用シートの上下縁線を合わせる際に視覚的に見やすくするように横ラインを表示したことを特徴とする。
【００１６】
また、この発明は、センサ用シートの面に表示した中央折曲線に対応するように剥離シートの面において使い捨てシートの二つ折り部に対応する折り線部分には、貼着用折り線を表示したことを特徴とする。
【００１７】
また、この発明は、剥離シートの一面端部には、使い捨てシートをセンサ用シートに一体貼着した際にセンサ用シートの受発光部に接続したセンサコード基部が位置する箇所にコードマーカーを表示したことにも特徴を有する。
【００１８】
また、この発明は、センサ用シートの表側に表示する受発光部位置マーカーや二つ折り位置マーカーは、センサ用シートに受発光部を固定保護するための帯状の固定シートの表面を介して表示したことにも特徴を有する。
【発明の効果】
【００１９】
請求項１の発明によれば、下面にセンサ剥離シートを貼着し、上面に作用面が下向きとなる発光部と受光部とが設けられた略透明素材のセンサ用シートであって、センサ剥離シートの剥離後に験体の被測定部に貼着する際に被測定部との間に介在し使用するように構成した使い捨てシートにおいて、使い捨てシートは、裏面に剥離シートを貼着した略透明素材よりなり、使い捨てシートの表面は、センサ剥離シートを剥離した後のセンサ用シート裏面が貼着自在とするように構成し、しかも、使い捨てシートの外形は、センサ用シートの外形と略合致した中央幅狭部を有した形状に構成し、更には、剥離シートの一面にはセンサ用シートの面に表示した発光部位置マーカー及び受光部位置マーカーとそれぞれに対応するように各マーカーと略合致する貼着用発光部マーカーと貼着用受光部マーカーを表示したことにより、使い捨てシートを取り替えるだけで光学的生体計測用シートを何度も使うことができるので経済的に大きなメリットがあり、また、光学的生体計測用シートに一体貼着した使い捨てシートを直接に験体に貼着する際にセンサ用シートと略同一の貼着用受発光部マーカーが対応位置に表示されているために、センサ用シートに表示された受発光位置マーカーや中央折曲線を表側から視認しながら使い捨てシートを被測定部に正確に、かつ密着して貼着することができる。
従って、下側向きに作用面がある受発光部をその裏側から視認しながら正確に被測定部に位置させてそのまま使い捨てシートを介して被測定部に貼着することができる効果がある。
【００２０】
また、請求項２の発明によれば剥離シートの面においてセンサ用シートの上下縁線を合わせる際に視覚的に見やすくするように横ラインを表示したので、予め使い捨てシートの裏面の上下縁部にセンサ用シートの上下縁線を合致させるための横ラインを表示しておき、この横ラインに沿ってセンサ用シートの上下縁線を合わせれば、各シートの上下方向の位置合わせも容易に、かつ正確に行える効果がある。
【００２１】
また、請求項３の発明によればセンサ用シートの面に表示した中央折曲線に対応するように剥離シートの面において使い捨てシートの二つ折り部に対応する折り線部分には、貼着用折り線を表示したことにより、貼着用折り線と中央折曲線が一致しているため二つ折りにする位置を使い捨てシートにおいて正確に確定することができることになり受発光部の正確な対向位置測定が可能となる効果を有する。
【００２２】
また、請求項４の発明によれば剥離シートの一面端部には、使い捨てシートをセンサ用シートに一体貼着した際にセンサ用シートの受発光部に接続したセンサコード基部が位置する箇所にコードマーカーを表示したことにより、コードマーカーも剥離シートに表示されているため剥離シートを介して光学的生体計測用シートの貼着適正位置を更に正確に被測定部に配設することができることになり、光学的生体計測用シートによる正確な生体データ取得が可能となる効果がある。
【００２３】
また、請求項５の発明によればセンサ用シートの表側に表示する受発光部位置マーカーや二つ折り位置マーカーは、センサ用シートに受発光部を固定保護するための帯状の固定シートの表面を介して表示したことにより、各マーカーの表示が見やすく、かつ表示作成も行いやすいので使い捨てシートの一体貼着をより正確に行うことができる効果がある。
【図面の簡単な説明】
【００２４】
【図１】生体モニターに接続した光学的生体計測用シートと使い捨てシートとを示す分解斜視図である。
【図２】光学的生体計測用シートを示す平面図である。
【図３】使い捨てシートを貼着用剥離シート側から見て描いた平面図である。
【図４】図２に示す光学的生体計測用シートのＩ−Ｉ断面図である。
【図５】図２に示す光学的生体計測用シートのＸ−Ｘ断面図である。
【図６】光学的生体計測用シートと捨てシートとの使用手順（その１）を示す斜視図である。
【図７】光学的生体計測用シートと捨てシートとの使用手順（その２）を示す斜視図である。
【図８】光学的生体計測用シートと捨てシートとの使用手順（その３）を示す斜視図である。
【図９】光学的生体計測用シートと捨てシートとの使用手順（その４）を示す斜視図である。
【図１０】光学的生体計測用シートと捨てシートとの使用手順（その５）を示す斜視図である。
【図１１】光学的生体計測用シートと捨てシートとの使用手順（その６）を示す斜視図である。
【発明を実施するための形態】
【００２５】
この発明は下面にセンサ剥離シートを貼着し、上面に作用面が下向きとなる発光部と受光部とが設けられた略透明素材のセンサ用シートであって、センサ剥離シートの剥離後に験体の被測定部に貼着する際に被測定部との間に介在し使用するように構成した使い捨てシートにおいて、使い捨てシートは、裏面に剥離シートを貼着した略透明素材よりなり、使い捨てシートの表面は、センサ剥離シートを剥離した後のセンサ用シート裏面が貼着自在とするように構成し、しかも、使い捨てシートの外形は、センサ用シートの外形と略合致した中央幅狭部を有した形状に構成し、更には、剥離シートの一面にはセンサ用シートの面に表示した発光部位置マーカー及び受光部位置マーカーとそれぞれに対応するように各マーカーと略合致する貼着用発光部マーカーと貼着用受光部マーカーを表示したことを特徴とする血中酸素飽和度測定用シート等の光学的生体計測用シートに対する貼着用使い捨てシート構造に関する。
【００２６】
また、剥離シートの面においてセンサ用シートの上下縁線を合わせる際に視覚的に見やすくするように横ラインを表示した血中酸素飽和度測定用シート等の光学的生体計測用シートに対する貼着用使い捨てシート構造に関する。
【００２７】
また、センサ用シートの面に表示した中央折曲線に対応するように剥離シートの面において使い捨てシートの二つ折り部に対応する折り線部分には、貼着用折り線を表示した血中酸素飽和度測定用シート等の光学的生体計測用シートに対する貼着用使い捨てシート構造に関する。
【００２８】
また、剥離シートの一面端部には、使い捨てシートをセンサ用シートに一体貼着した際にセンサ用シートの受発光部に接続したセンサコード基部が位置する箇所にコードマーカーを表示した血中酸素飽和度測定用シート等の光学的生体計測用シートに対する貼着用使い捨てシート構造に関する。
【００２９】
また、センサ用シートの表側に表示する受発光部位置マーカーや二つ折り位置マーカーは、センサ用シートに受発光部を固定保護するための帯状の固定シートの表面を介して表示した血中酸素飽和度測定用シート等の光学的生体計測用シートに対する貼着用使い捨てシート構造に関する。
【００３０】
この発明の実施例を図面に基づき詳説する。図１は生体モニターに接続した光学的生体計測用シートと使い捨てシートとを示す分解斜視図、図２は光学的生体計測用シートを示す平面図、図３は使い捨てシートを貼着用剥離シート側から見て描いた平面図、図４は図２に示す光学的生体計測用シートのＩ−Ｉ断面図、図５は図２に示す光学的生体計測用シートのＸ−Ｘ断面図である。
【００３１】
本発明の光学的生体計測用シートＡに用いる貼着用の使い捨てシートＳを説明する前に光学的生体計測用シートについて詳説する。
本発明の貼着用の使い捨てシートＳを一体貼着する光学的生体計測用シートとしては、血中酸素飽和度測定用シートＡをセンサ用シートとして例示しながら説明する。
【００３２】
図１、図２、図４、図５に示すように、血中酸素飽和度シートＡは、中央部分の両側縁を凹状にして形成した中央幅狭部１０を有する略長方形のセンサ用シート１１と該シート１１の下側（裏側）面に貼着したセンサ剥離シート１２と、該シート１１の上側（表側）面に受光部１３及び発光部１４を固定すべく長方形の中央長手方向に貼着した固定テープ１５と、センサ用シート１１と固定テープ１５との間において、中央幅狭部１０の左右外方位置に位置するように配設した発光部１４と受光部１３とよりなる。
【００３３】
センサ用シート１１は略透明素材、例えば樹脂フィルム等より構成しており、その裏面には、樹脂フィルムからなるセンサ剥離シート１２が剥離自在に貼着されている。
【００３４】
発光部１３と受光部１４は、それぞれ発光素子１３ａと受光素子１４ａからなり、発光素子１３ａは二種類の発光素子、すなわち、血液色と近似した２種類の赤色光のＬＥＤ（発光素子）と赤外光のＬＥＤ（発光素子）とより構成され、それぞれ波長の異なる光を発光することになる。すなわち、赤色光ＬＥＤが発光する波長６６０ｎｍの赤色光は血中の酸化ヘモグロビンと還元ヘモグロビンを通過或いは吸収され、受光素子で受光して赤色信号量として算出し、他方、赤外光ＬＥＤが発光する波長８００ｎｍ〜９４０ｎｍの赤外光は血中の酸化ヘモグロビンと還元ヘモグロビンを通過或いは吸収され、受光素子で受光して赤外信号量として算出し、これら赤色信号量と赤外信号量と比から血中の動脈血酸素飽和度（ＳｐＯ２：Percutaneous Oxygen Saturation）を計測可能としている。
【００３５】
しかも、各受発光部１４，１３はセンサ用シート１１表面上において、中央幅狭部１０の左右外方位置で互いに一定離隔位置に配設しており、しかも受発光部１４, １３の作用面がセンサ用シート１１表面側、すなわち、下向きとなるようにしている。そして、センサ用シート１１を指先部に二つ折りにして装着した際には、発光部１３と受光部１４は指先部を間に挟んで対向した状態となるような位置に配設構成されている。
【００３６】
受発光素子１４ａ,１３ａは、帯状の固定テープ１５を介してセンサ用シート１１の外表面から固定されている。
【００３７】
固定テープ１５は上側固定テープ１５ａと下側固定テープ１５ｂとから構成されおり、上側固定テープ１５ａの裏面と下側固定テープ１５ｂの表面とを粘着し、さらに固定テープ１５ｂを幅員方向において折り返して、上下の下側固定テープ１５ｂ、１５ｂの間に受発光部１４, １３を挟持した形態としている。下側固定テープ１５ｂの表面、裏面の両面は、粘着可能な構成としている。図中１５ｃは受発光部１４, １３からの光を透過するために下側固定テープに形成した開口部、１５ｂ’は下側固定テープの表面、裏面にそれぞれ形成した粘着層である。粘着層は受発光部１４, １３からの透過光を透過自在の材料で構成されている。
【００３８】
重要なことは、センサ用シート１１が略透明素材、例えば透明樹脂フィルムよりなることであり、上面（表面）側の受発光部１４,１３から所定波長の光が透過するように構成している。
【００３９】
受発光部１４，１３には、生体モニターＭに導通するためのセンサコードＣが接続されている。
【００４０】
このように構成された血中酸素飽和度シートＡは、通常の従来使用方法においては、センサ用シート１１の下面に貼着されたセンサ剥離シート１２を剥離するとセンサ用シート１１の下面は被測定部位に貼着自在の粘着剤１１ａが塗布されているのでこの粘着剤１１ａを介してセンサ用シート１１を被測定部位に貼着する。
【００４１】
この際、例えば被測定部位が人差指Ｆの先端部である場合は、図９に示すように、中央幅狭部１０を中心に二つ折りにして、中央幅狭部１０が人差指Ｆの先端部Ｆ１で折り返されるようにし、人差指Ｆの先端部Ｆ１の指腹部Ｆ２と指背部Ｆ３にそれぞれセンサ用シート１１の両半部が位置するようにして貼着する。
【００４２】
通常の血中酸素飽和度シートＡは、上記のようにして人差指Ｆ先端に二つ折りに貼着されて、発光部１４からの一定波長の異なる発光が人差指Ｆの血液中を透過すると共に受光部１３にて受光して受光データを解析して血中酸素飽和度を計測する。
【００４３】
これらの従来の血中酸素飽和度シートは、人差指に貼着したらいわゆる使い回しを回避するために破棄処分して新品のシートを使わなければならない。
【００４４】
そこで、図１、図３、図６に示す本発明の使い捨てシートＳを使うことにより同じ血中酸素飽和度シートＡを何度も被測定部に使い回しが可能とした。
【００４５】
使い捨てシートＳは、表面に光学的生体計測用シートＡ裏面を貼着自在とし、裏面は剥離自在の剥離シート２２を貼着して構成されている。使い捨てシートＳの裏面には被測定部位に貼着可能になるように粘着剤が塗布されており、その表面に剥離シート２２が剥離自在に貼着されている。
【００４６】
しかも、使い捨てシートＳの外形は、透明素材の血中酸素飽和度シートＡのセンサ用シート１１の外形と略合致した中央幅狭部２０を有した形状に形成している。使い捨てシートＳとセンサ用シート１１とを外形を合わせて重ねた場合にセンサ用シート１１の上表面に表示した発光部位置マーカー１６及び受光部位置マーカー１７に対応するように貼着用剥離シート２２の裏面には、略同一の貼着用発光部マーカー２６と貼着用受光部マーカー２７をそれぞれ表示している。
なお、図中の符号１６ａはセンサ用シート１１の発光部位置マーカー１６の横長手方向の位置合わせを行うためにセンサ用シート１１の表面に表示した発光部位置マーカー線であり、１７ａは受光部位置マーカー１７の長手方向の位置合わせを行うためにセンサ用シート１１の表面に表示した受光部位置マーカー線である。
２６ａは貼着用発光部マーカー２６の長手方向の位置合わせを行うために貼着用剥離シート２２裏面に表示した貼着用発光部マーカー線であり、２７ａは貼着用受光部マーカー２７の長手方向の位置合わせを行うために貼着用剥離シート２２裏面に表示した貼着用受光部マーカー線である。
【００４７】
更には、剥離シート２２の裏面には、中央部に貼着用折り線２２ａを表示している。この貼着用折り線２２ａはセンサ用シート１１に使い捨てシートＳを重ねた際にセンサ用シート１１の面に表示した中央折曲線１１ｂと対応する位置、すなわち使い捨てシートＳの二つ折り部に対応する折り線部分に表示されている。使い捨てシートＳは透明な素材で構成されており、剥離シート２２上面に使い捨てシートＳを貼り付ける場合において、剥離シート２２の裏面に印刷した貼着用折り線２２ａ、貼着用発光部マーカー２６、貼着用受光部マーカー２７が剥離シート２２の表面から透明な使い捨てシートＳを介して外部から視認できる。
【００４８】
なお、剥離シート２２の裏面への各マーカー２６，２７等には、真逆文字の使用説明文を印刷することにより、貼着用剥離シート２２に一体貼着した使い捨てシートＳの表面側から使い捨てシートＳの使用説明が容易に読み取ることができる。また、貼着用剥離シート２２に一体貼着した使い捨てシートＳは、当然に半透明又は透明のポリエチレン樹脂シートやポリウレタン樹脂シート等を用いることにより、貼着用剥離シート２２裏面の貼着用折り線２２ａ、各マーカー２６，２７、各マーカー線２６ａ，２７ａ等が容易に透過して外部から視認可能に構成している。
【００４９】
また、使い捨てシートＳ表面にセンサ用シート１１を重ねていく場合に正確に各シートの中央幅狭部１０を基準にして、各シートの対応する各マーカーやマーカー線を合わせていけば正確に重ねることができるが、これは主に左右方向の正確な重ねは可能であるものの上下方向の各シートの重ねは各シート及びセンサ用シート１１の外形と外郭を合わせるしかない。
【００５０】
しかし、半透明素材のシートであるためにその外郭を正確に合致して合わせることは難しい。そこで、予め使い捨てシートＳの裏面の上下縁部にセンサ用シート１１の上下縁線１１’を合致させるための横ラインＬを表示しておき、この横ラインＬに沿ってセンサ用シート１１の上下縁線１１’を合わせれば、各シートＳ，１１の上下方向の位置合わせも容易に、かつ正確に行える。
【００５１】
なお、横ラインＬは単なる横線であってもよいし、また、図６に示すように半透明のセンサ用シート１１の上下縁線１１’を合わせる際に視覚的に見やすくするように黒帯体としてもよい。また、貼着用剥離シート２２の黒帯体の横ラインＬは右縁を互いに連続している。センサ用シート１１の中央幅狭部１０に対応する部分は左右および上下の黒帯体の横ラインＬを切欠して中央幅狭部１０の左右の上下縁線１１’部分が合致しやすいようにしている。図中Ｌ１はコードマーカー２５を認知させるために表示した矢印マーカーである。
【００５２】
［使用方法］
使い捨てシートＳは、上記のように構成されており、その使用方法について説明する。図６から図１１は光学的生体計測用シートと捨てシートとの使用手順を示す斜視図である。
【００５３】
図６及び図７に示すように、まず、センサ用シート１１の下面に貼着したセンサ剥離シート１２を剥離する。センサ用シート１１の下面の粘着剤１１ａを介して使い捨てシートＳ上面にセンサ用シート１１を貼着する。
【００５４】
各シート１１,Ｓを重ねて貼着する際に、使い捨てシートＳの外形とセンサ用シート１１の外形とを合致させる。
【００５５】
すなわち、各シート１１,Ｓに形成した中央幅狭部１０と貼着用中央幅狭部２０との外形を合致させる。
【００５６】
図８及び図９に示すように、このように各シート１１,Ｓを重複して一体に貼着状態とした後に、使い捨てシートＳの下面の貼着用剥離シート２２を剥離して被測定部である人差指Ｆの先端部Ｆ１に二つ折りにして貼着する。
【００５７】
すなわち、センサ用シート１１の中央折曲線１１ｂから二つ折りにして最下面の使い捨てシートＳを介して人差指Ｆの先端部Ｆ１に貼着することによりセンサ用シート１１の発光部位置マーカー１６と受光部位置マーカー１７とが人差指Ｆの指腹部Ｆ２と指背部Ｆ３のいずれかにそれぞれ位置するようにする。
【００５８】
更に、人差指Ｆに正確にセンサ用シート１１を貼着して装着するためにコードマーカー２５の位置にセンサコードＣを位置せしめる。
【００５９】
このようにして、人差指Ｆの先端部Ｆ１にセンサ用シート１１を二つ折りにして正確かつ密着状に貼着することができる。
【００６０】
次いで、発光部１３と受光部１４に通電して発光部１３からの赤色ＬＥＤ発光及び赤外線ＬＥＤ光を照射すると共に受光部１４でこれらの光を受けてその波長の差異を生体モニターＭで解析して血中の酸素飽和度を計測する。
【００６１】
計測完了後は、図１０に示すように、センサ用シート１１と一体貼着の使い捨てシートＳを人差指Ｆの先端部Ｆ１から剥離し、その後、センサ用シート１１から使い捨てシートＳの剥離用耳部２８をつまんで剥離し、使い捨てシートＳのみを廃棄処分し、残ったセンサ用シート１１は前述したと同じ処方で再度新しい使い捨てシートＳ上に外形を合わせて貼着して使い回しする。
【００６２】
しかし、センサ用シート１１は、被測定部と直接に接触することがないため使い捨てシートＳを介した複数回の使い回しが可能となり何ら衛生上の支障はない。
【００６３】
図１１に示すように、センサ用シート１１の粘着面にはセンサ剥離シート１２を貼着して、次回、血中酸素飽和度シートＡを使用するまでそのまま保管する。
【００６４】
なお、発光部の発光素子については、２つの波長を発光可能に２種類の発光素子を用いたが、例えば、混合静脈血酸素飽和度測定を行う際には、１波長を発光する発光部と２つの受光部を有する構成であり、この発光部から照射される単一波長の光を２つの受光部で受光して、受光したそれぞれの光の差分から算出して混合静脈血酸素飽和度を測定する装置においても、本貼着用使い捨てシート構造を適用することができる。
【００６５】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００６６】
Ａ  光学的生体計測用シート
Ｓ  使い捨てシート
Ｍ  生体モニター
Ｃ  センサコード
Ｆ  人差指
Ｆ１  先端部
Ｆ２  指腹部
Ｆ３  指背部
１０  中央幅狭部
１１  センサ用シート
１１ａ  粘着剤
１１ｂ  中央折曲線
１２  センサ剥離シート
１３  発光部
１３ａ  発光素子
１４  受光部
１４ａ  受光素子
１５  固定テープ
１６  発光部位置マーカー
１７  受光部位置マーカー
２０  貼着用中央幅狭部
２２  貼着用剥離シート
２２ａ  貼着用折り線
２５  コードマーカー
２６  貼着用発光部マーカー
２７  貼着用受光部マーカー
２８  剥離用耳部
【要約】
【課題】センサ用シートの下面予め使い捨てシートを貼着しているため、外見からは見えない使い捨てシートを受発光部が指先において正確に対向するように二つ折りする場合の二つ折りの位置や二つ折りしながらの使い捨てシートの密着性を確保する作業は困難を極めるという問題があった。
【解決手段】使い捨てシートは、裏面に剥離シートを貼着した略透明素材よりなり、使い捨てシートの表面は、センサ剥離シートを剥離した後のセンサ用シート裏面が貼着自在とするように構成し、しかも、使い捨てシートの外形は、センサ用シートの外形と略合致した中央幅狭部を有した形状に構成し、更には、剥離シートの一面にはセンサ用シートの面に表示した発光部位置マーカー及び受光部位置マーカーとそれぞれに対応するように各マーカーと略合致する貼着用発光部マーカーと貼着用受光部マーカーを表示したことを特徴とする。
【選択図】図１【図１】
0005754035.tif 000002
【図２】
0005754035.tif 000003
【図３】
0005754035.tif 000004
【図４】
0005754035.tif 000005
【図５】
0005754035.tif 000006
【図６】
0005754035.tif 000007
【図７】
0005754035.tif 000008
【図８】
0005754035.tif 000009
【図９】
0005754035.tif 000010
【図１０】
0005754035.tif 000011
【図１１】
0005754035.tif 000012